【手続補正書】
【提出日】平成30年12月4日(2018.12.4)
【手続補正１】
【補正対象書類名】明細書
【補正対象項目名】００７９
【補正方法】変更
【補正の内容】
【００７９】
上記のように、ストラップの長さを調整するバックル及びこれを含む呼吸マスクについて、特定の実施形態を参照して説明した。しかし、これらは簡単な例であり、本発明はそれに限定されるものではなく、開示する基本的な趣旨を基準として最大の範囲を有すると解釈されるべきである。当業者であれば、開示する実施形態を組み合わせ／置き換えることによって、指定されていないパターンを実施することができる。しかし、これもまた、本発明の範囲を逸脱しない。本発明について、その特定の例示的な実施形態を参照して図示及び説明したが、添付の特許請求の範囲によって定義される本発明の趣旨及び範囲から逸脱することなく、形態及び詳細に様々な変更を加えることができることが、当業者には理解されよう。
以下、本発明の態様を説明する。
〔態様１〕
ストラップの長さを調整するバックルであって、
１つの方向に延びるバックル本体と、
前記バックル本体内に形成され、呼吸マスク本体の一方の側に連結されたストラップを把持する把持部分と、を備え、
前記把持部分が、
前記バックル本体内に形成された開口部の一端に連結された固定具と、
回転により前記固定具を動かすヒンジと、
前記開口部の他端に配設され、前記固定具を選択的に捕獲及び固定する固定突出部と、を備え、
前記ストラップが、前記固定具と前記開口部の側壁との間の空間内へ挿入され、前記固定具が前記固定突出部によって固定されると、前記ストラップが前記把持部分によって把持される、バックル。
〔態様２〕
前記把持部分が前記ストラップを把持した状態で、前記把持部分が、前記ストラップの自由端、又は前記呼吸マスク本体と前記バックルとの間の部分を引っ張ることによって、前記呼吸マスク本体の側面部分と前記バックルとの間の前記ストラップの長さを選択的に短く又は長くすることを可能にする、態様１に記載のバックル。
〔態様３〕
前記開口部の前記側壁と前記開口部の前記側壁に面する前記固定具の側面との間に分離空間が形成され、前記ストラップが前記分離空間内へ挿入される、態様２に記載のバックル。
〔態様４〕
前記ストラップが、前記分離空間内へ挿入された状態で維持され、前記ストラップの前記自由端が引っ張られると、前記呼吸マスク本体の前記側面部分と前記バックルとの間の前記ストラップの前記長さが短くなり、前記呼吸マスク本体と前記バックルとの間の前記部分が引っ張られると、前記呼吸マスク本体の前記側面部分と前記バックルとの間の前記ストラップの前記長さが長くなる、態様３に記載のバックル。
〔態様５〕
前記分離空間の幅が前記ストラップの厚さより小さい、態様３に記載のバックル。
〔態様６〕
前記分離空間の前記幅が前記ストラップの前記厚さより０．２ｍｍ小さい、態様５に記載のバックル。
〔態様７〕
前記分離空間の前記幅が前記ストラップの前記厚さの９０％である、態様５に記載のバックル。
〔態様８〕
前記開口部に面する前記固定具の１つの表面上に形成された設置突出部を更に備え、前記設置突出部の一端に、前記固定具に向かって低くなる傾斜面が形成され、
前記固定突出部の端部が傾斜面を形成し、前記傾斜面が、前記固定具が旋回して前記開口部内に入る方向に低くなり、
前記固定突出部が、前記設置突出部の前記傾斜面及び前記固定具の前記１つの表面によって形成された溝の中へ挿入される、態様１に記載のバックル。
〔態様９〕
前記固定具の他端に傾斜面が形成され、前記開口部に向かって低くなり、
前記固定具が前記開口部内へ圧入されると、前記固定具の前記傾斜面が前記固定突出部の前記傾斜面の上へ動く、態様８に記載のバックル。
〔態様１０〕
前記バックル本体を貫通するように形成された締結溝と、
前記バックル本体から突出するように形成され、Ｌ字状の断面を有するように曲げられた端部を有する締結フックと、を更に備える、態様１に記載のバックル。
〔態様１１〕
一方の締結フックが他方の締結溝上に捕獲されると、２つのバックルが互いに締結される、態様１０に記載のバックル。
〔態様１２〕
呼吸マスクであって、
前記呼吸マスクが着用されると着用者の顔に接触する呼吸マスク本体と、
前記呼吸マスク本体の両側にそれぞれ連結された第１及び第２のストラップと、
前記第１のストラップを把持して、前記着用者の後頭部で前記第１のストラップと前記第２のストラップを連結する１つ以上のバックルと、を備え、
前記第１のストラップの自由端又は前記呼吸マスク本体と前記バックルとの間の部分を引っ張ることによって、前記１つ以上のバックルが前記第１のストラップを把持し、それにより、前記呼吸マスク本体の側面部分と前記バックルとの間の前記第１のストラップの長さが、選択的に短くなり又は長くなる、呼吸マスク。
〔態様１３〕
前記１つ以上のバックルのそれぞれが、
１つの方向に延びるバックル本体と、
前記バックル本体内に形成され、前記呼吸マスク本体の一方の側に連結されたストラップを把持する把持部分と、を備え、
前記把持部分が、
前記バックル本体内に形成された開口部の一端に連結された固定具と、
回転により前記固定具を動かすヒンジと、
前記開口部の他端に配設され、前記固定具を選択的に捕獲及び固定する固定突出部と、を備え、
前記ストラップが、前記固定具と前記開口部の側壁との間の空間内へ挿入され、前記固定具が前記固定突出部によって固定されると、前記ストラップが前記把持部分によって把持される、態様１２に記載の呼吸マスク。
〔態様１４〕
前記開口部の前記側壁と前記開口部の前記側壁に面する前記固定具の側面との間に分離空間が形成され、前記ストラップが前記分離空間内へ挿入される、態様１３に記載の呼吸マスク。
〔態様１５〕
前記分離空間の幅が前記ストラップの厚さより小さい、態様１４に記載の呼吸マスク。
〔態様１６〕
前記１つ以上のバックルが、１対のバックルとして設けられ、前記１対のバックルの一方が前記第１のストラップを把持し、前記１対のバックルの他方が前記第２のストラップを把持した状態で、前記１対のバックルが互いに締結され、その結果、前記第１のストラップと前記第２のストラップが前記着用者の後頭部で互いに連結される、態様１２に記載の呼吸マスク。
〔態様１７〕
前記１つ以上のバックルのそれぞれが、
１つの方向に延びるバックル本体と、
前記バックル本体を貫通して形成された締結溝と、
前記バックル本体から突出するように形成され、Ｌ字状の断面を有するように曲げられた端部を有する締結フックと、を備え、
一方の締結フックが他方の締結溝上に捕獲されると、前記１対のバックルが互いに締結される、態様１６に記載の呼吸マスク。
〔態様１８〕
前記第１のストラップが前記１つ以上のバックルの一方の側で前記１つ以上のバックルによって把持され、前記第２のストラップが前記１つ以上のバックルの他方の側に固定されると、前記１つ以上のバックルが、前記着用者の前記後頭部で前記第１のストラップと前記第２のストラップを連結する、態様１２に記載の呼吸マスク。
〔態様１９〕
前記１つ以上のバックルのそれぞれが、
１つの方向に延びるバックル本体と、
前記バックル本体の一方の側に形成され、前記第１のストラップを把持する把持部分と、
前記バックル本体の他方の側で前記バックル本体から突出するように形成され、Ｌ字状の断面を有するように曲げられた端部を有する締結フックと、を更に備え、
前記第２のストラップが、前記締結フック上に捕獲され、前記１つ以上のバックルに固定される、態様１８に記載の呼吸マスク。
〔態様２０〕
前記１つ以上のバックルのそれぞれが、前記締結溝の側壁に形成された貫通孔を更に備え、
前記第２のストラップが、前記貫通孔を通過し、前記締結溝内へ挿入され、前記締結溝上に捕獲され、前記１つ以上のバックルに固定される、態様１９に記載の呼吸マスク。
【手続補正２】
【補正対象書類名】特許請求の範囲
【補正対象項目名】全文
【補正方法】変更
【補正の内容】
【特許請求の範囲】
【請求項１】
ストラップの長さを調整するバックルであって、
１つの方向に延びるバックル本体と、
前記バックル本体内に形成され、呼吸マスク本体の一方の側に連結されたストラップを把持する把持部分と、を備え、
前記把持部分が、
前記バックル本体内に形成された開口部の一端に連結された固定具と、
回転により前記固定具を動かすヒンジと、
前記開口部の他端に配設され、前記固定具を選択的に捕獲及び固定する固定突出部と、を備え、
前記ストラップが、前記固定具と前記開口部の側壁との間の空間内へ挿入され、前記固定具が前記固定突出部によって固定されると、前記ストラップが前記把持部分によって把持される、バックル。
【請求項２】
前記開口部に面する前記固定具の１つの表面上に形成された設置突出部を更に備え、前記設置突出部の一端に、前記固定具に向かって低くなる傾斜面が形成され、
前記固定突出部の端部が傾斜面を形成し、前記傾斜面が、前記固定具が旋回して前記開口部内に入る方向に低くなり、
前記固定突出部が、前記設置突出部の前記傾斜面及び前記固定具の前記１つの表面によって形成された溝の中へ挿入される、請求項１に記載のバックル。
【請求項３】
前記固定具の他端に傾斜面が形成され、前記開口部に向かって低くなり、
前記固定具が前記開口部内へ圧入されると、前記固定具の前記傾斜面が前記固定突出部の前記傾斜面の上へ動く、請求項８に記載のバックル。
【請求項４】
呼吸マスクであって、
前記呼吸マスクが着用されると着用者の顔に接触する呼吸マスク本体と、
前記呼吸マスク本体の両側にそれぞれ連結された第１及び第２のストラップと、
前記第１のストラップを把持して、前記着用者の後頭部で前記第１のストラップと前記第２のストラップを連結する１つ以上のバックルと、を備え、
前記第１のストラップの自由端又は前記呼吸マスク本体と前記バックルとの間の部分を引っ張ることによって、前記１つ以上のバックルが前記第１のストラップを把持し、それにより、前記呼吸マスク本体の側面部分と前記バックルとの間の前記第１のストラップの長さが、選択的に短くなり又は長くなる、呼吸マスク。